(57)【要約】【課題】  ケース本体と裏蓋との絶縁を図り、アンテナの受信感度を高めることができる機器ケースおよび腕時計ケースを提供する。【解決手段】  内部にアンテナ９が収容された金属製のケース本体３と、このケース本体３の裏面に取り付けられる金属製の裏蓋６と、この裏蓋６をケース本体３に固定する固定ねじ７と、ケース本体３と裏蓋６との間に介在されたスペーサ部材８とを備え、このスペーサ部材８が絶縁性材料からなり、固定ねじ７が金属材料からなり、その表面に絶縁性皮膜１４を形成した。従って、スペーサ部材８によってケース本体３と裏蓋６との接触による導通を防ぐと共に、固定ねじ７の表面に形成された絶縁性皮膜１４によって、金属製の固定ねじ７によるケース本体３と裏蓋６との導通を防ぐことができる。これにより、ケース本体３と裏蓋６との絶縁を確実に図り、アンテナ９の受信感度を高めることができる。【選択図】        図１
2008082722.tif 000002
【特許請求の範囲】
【請求項１】
内部にアンテナが収容された金属製のケース本体と、このケース本体の裏面に取り付けられる金属製の裏蓋と、この裏蓋を前記ケース本体に固定する固定ねじと、前記ケース本体と前記裏蓋との間に介在されたスペーサ部材とを備えた機器ケースにおいて、
前記スペーサ部材は絶縁性材料からなり、前記固定ねじは、金属材料からなり、その表面に絶縁性皮膜が形成されていることを特徴とする機器ケース。
【請求項２】
内部にアンテナが収容された金属製のケース本体と、このケース本体の裏面に取り付けられる金属製の裏蓋と、この裏蓋を前記ケース本体に固定する固定ねじとを備えた機器ケースにおいて、
前記ケース本体と前記裏蓋とが互いに接触し合う各接触面のうち、少なくとも一方の接触面には、絶縁性皮膜が形成されており、前記固定ねじは、金属材料からなり、その表面に絶縁性皮膜が形成されていることを特徴とする機器ケース。
【請求項３】
前記絶縁性皮膜は、セラミックをイオンプレーティングによって成膜した皮膜であることを特徴とする請求項１または２に記載の機器ケース。
【請求項４】
前記絶縁性皮膜は、酸化アルミニウムのセラミックをアルマイト処理によって成膜した皮膜であることを特徴とする請求項１または２に記載の機器ケース。
【請求項５】
内部に標準時刻電波を受信するアンテナ、およびこのアンテナで受信した標準時刻電波に基づいて時刻修正をする時計モジュールが収容されたケース本体と、このケース本体の裏面に取り付けられる金属製の裏蓋と、この裏蓋を前記ケース本体に固定する固定ねじと、前記ケース本体と前記裏蓋との間に介在されたスペーサ部材とを備えた腕時計ケースにおいて、
前記スペーサ部材は絶縁性材料からなり、前記固定ねじは、金属材料からなり、その表面に絶縁性皮膜が形成されていることを特徴とする腕時計ケース。
【請求項６】
内部に標準時刻電波を受信するアンテナ、およびこのアンテナで受信した標準時刻電波に基づいて時刻修正をする時計モジュールが収容されたケース本体と、このケース本体の裏面に取り付けられる金属製の裏蓋と、この裏蓋を前記ケース本体に固定する固定ねじとを備えた腕時計ケースにおいて、
前記ケース本体と前記裏蓋とが互いに接触し合う各接触面のうち、少なくとも一方の接触面には、絶縁性皮膜が形成されており、前記固定ねじは、金属材料からなり、その表面に絶縁性皮膜が形成されていることを特徴とする腕時計ケース。
【発明の詳細な説明】
【技術分野】
【０００１】
この発明は、アンテナを内蔵した電子機器の機器ケース、およびアンテナを内蔵した腕時計の腕時計ケースに関する。
【背景技術】
【０００２】
例えば、腕時計においては、標準時刻電波を受信するアンテナを備え、このアンテナで受信した標準時刻電波に基づいて時刻を修正する電波腕時計が知られている。
このような電波腕時計では、アンテナの近傍に金属部材があると、アンテナで発生した磁界が金属部材を通過することで、金属部材に渦電流が流れ、これによりアンテナの受信感度が低下する。特に、電波腕時計のケース本体と裏蓋とが金属で形成され、両者が導通していると、ケース本体と裏蓋とを還流する電流が増大し、アンテナの受信感度が著しく低下する。
【０００３】
そこで、従来の電波腕時計では、特許文献１に記載されているように、金属製のケース本体と金属製の裏蓋との間に、電気抵抗の大きいスペーサ部材を設け、このスペーサ部材によってケース本体と裏蓋とを還流する電流を抑制し、アンテナの受信感度の低下を抑制している。
【特許文献１】特開２００６−１１２８６６号
【発明の開示】
【発明が解決しようとする課題】
【０００４】
しかしながら、このような従来の電波腕時計では、スペーサ部材によってケース本体と裏蓋との間の電気抵抗を大きくして、アンテナの受信感度の低下を抑制しているが、ケース本体と裏蓋とを還流する電流の流れを確実に防ぐことができないため、十分なアンテナの受信感度を確保することができないという問題がある。
【０００５】
この発明が解決しようとする課題は、ケース本体と裏蓋との絶縁を図り、アンテナの受信感度を高めることができる機器ケースおよび腕時計ケースを提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図３に示すように、内部にアンテナ（９）が収容された金属製のケース本体（３）と、このケース本体の裏面に取り付けられる金属製の裏蓋（６）と、この裏蓋を前記ケース本体に固定する固定ねじ（７、１７）と、前記ケース本体と前記裏蓋との間に介在されたスペーサ部材（８）とを備えた機器ケースにおいて、
前記スペーサ部材は絶縁性材料からなり、前記固定ねじは、金属材料からなり、その表面に絶縁性皮膜（１４、１８）が形成されていることを特徴とする機器ケースである。
【０００８】
請求項２に記載の発明は、図１〜図６に示すように、内部にアンテナ（９）が収容された金属製のケース本体（３）と、このケース本体の裏面に取り付けられる金属製の裏蓋（６、２３）と、この裏蓋を前記ケース本体に固定する固定ねじ（７、１７）とを備えた機器ケースにおいて、
前記ケース本体と前記裏蓋とが互いに接触し合う各接触面のうち、少なくとも一方の接触面には、絶縁性皮膜（２１、２４）が形成されており、前記固定ねじは、金属材料からなり、その表面に絶縁性皮膜（１４、１８）が形成されていることを特徴とする機器ケースである。
【０００９】
請求項３に記載の発明は、図１、図２、図４、および図５に示すように、前記絶縁性皮膜（１４、２１）が、セラミックをイオンプレーティングによって成膜した皮膜であることを特徴とする請求項１または２に記載の機器ケースである。
【００１０】
請求項４に記載の発明は、図３および図６に示すように、前記絶縁性皮膜（１８、２４）が、酸化アルミニウムのセラミックをアルマイト処理によって成膜した皮膜であることを特徴とする請求項１または２に記載の機器ケースである。
【００１１】
請求項５に記載の発明は、図１〜図３に示すように、内部に標準時刻電波を受信するアンテナ（９）、およびこのアンテナで受信した標準時刻電波に基づいて時刻修正をする時計モジュール（２）が収容されたケース本体（３）と、このケース本体の裏面に取り付けられる金属製の裏蓋（６）と、この裏蓋を前記ケース本体に固定する固定ねじ（７、１７）と、前記ケース本体と前記裏蓋との間に介在されたスペーサ部材（８）とを備えた腕時計ケースにおいて、
前記スペーサ部材は絶縁性材料からなり、前記固定ねじは、金属材料からなり、その表面に絶縁性皮膜（１４、１８）が形成されていることを特徴とする腕時計ケースである。
【００１２】
請求項６に記載の発明は、図１〜図６に示すように、内部に標準時刻電波を受信するアンテナ（９）、およびこのアンテナで受信した標準時刻電波に基づいて時刻修正をする時計モジュール（２）が収容されたケース本体（３）と、このケース本体の裏面に取り付けられる金属製の裏蓋（６、２３）と、この裏蓋を前記ケース本体に固定する固定ねじ（７、１７）とを備えた腕時計ケースにおいて、
前記ケース本体と前記裏蓋とが互いに接触し合う各接触面のうち、少なくとも一方の接触面には、絶縁性皮膜（２１、２４）が形成されており、前記固定ねじは、金属材料からなり、その表面に絶縁性皮膜（１４、１８）が形成されていることを特徴とする腕時計ケースである。
【発明の効果】
【００１３】
請求項１に記載の発明によれば、アンテナを収容したケース本体と裏蓋との間に絶縁性材料からなるスペーサ部材が介在されているので、ケース本体および裏蓋を金属で形成しても、スペーサ部材によってケース本体と裏蓋との接触による導通を防ぐことができると共に、固定ねじの表面に絶縁性皮膜が形成されているので、固定ねじが金属材料で形成され、この固定ねじで裏蓋をケース本体に固定しても、固定ねじの表面に形成された絶縁性皮膜によって、固定ねじによるケース本体と裏蓋との電気的な導通を確実に防ぐことができる。これにより、金属製のケース本体と金属製の裏蓋との絶縁を確実に図ることができ、このためアンテナで発生した磁界によってケース本体と裏蓋とを還流する電流の流れを防ぐことができるので、アンテナの受信感度を高めることができる。
【００１４】
請求項２に記載の発明によれば、ケース本体と前記裏蓋とが互いに接触し合う各接触面のうち、少なくとも一方の接触面に絶縁性皮膜が形成されているので、ケース本体および裏蓋を金属で形成しても、接触面に形成された絶縁性皮膜によってケース本体と裏蓋との接触による導通を防ぐことができると共に、固定ねじの表面に絶縁性皮膜が形成されているので、固定ねじが金属材料で形成され、この固定ねじで裏蓋をケース本体に固定しても、固定ねじの表面に形成された絶縁性皮膜によって、固定ねじによるケース本体と裏蓋との電気的な導通を確実に防ぐことができる。これにより、金属製のケース本体と金属製の裏蓋との絶縁を確実に図ることができ、このためアンテナで発生した磁界によってケース本体と裏蓋とを還流する電流の流れを防ぐことができるので、アンテナの受信感度を高めることができる。
【００１５】
請求項３に記載の発明によれば、絶縁性皮膜が、セラミックをイオンプレーティングによって成膜した皮膜であることにより、金属製の固定ねじの表面、およびケース本体と裏蓋との互いに接触し合う一方の接触面に、窒化珪素、酸化アルミニウム、ダイヤモンドライクカーボンなどのセラミックからなる絶縁性の高い皮膜を確実に形成することができ、これによりケース本体と裏蓋との電気的な導通を防ぐことができる。
【００１６】
請求項４に記載の発明によれば、絶縁性皮膜が、酸化アルミニウムのセラミックをアルマイト処理によって成膜した皮膜であることにより、金属製の固定ねじの表面、およびケース本体と裏蓋との少なくとも互いに接触し合う一方の接触面を、アルミニウムおよびその合金で形成し、その表面に酸化アルミニウムのセラミックからなる絶縁性の高い酸化皮膜を確実に形成することができ、これによりケース本体と裏蓋との電気的な導通を防ぐことができる。
【００１７】
請求項５に記載の発明によれば、内部に標準時刻電波を受信するアンテナ、およびこのアンテナで受信した標準時刻電波に基づいて時刻修正をする時計モジュールが収容されたケース本体と、このケース本体の裏面に取り付けられる金属製の裏蓋と、この裏蓋をケース本体に固定する固定ねじと、ケース本体と裏蓋との間に介在されたスペーサ部材とを備えた腕時計ケースにおいて、スペーサ部材が絶縁性材料からなり、固定ねじが、金属材料からなり、その表面に絶縁性皮膜を形成したことにより、請求項１に記載の発明と同様、金属製のケース本体と金属製の裏蓋との絶縁を確実に図ることができ、これによりアンテナの受信感度を高めることができる。
【００１８】
請求項６に記載の発明によれば、内部に標準時刻電波を受信するアンテナ、およびこのアンテナで受信した標準時刻電波に基づいて時刻修正をする時計モジュールが収容されたケース本体と、このケース本体の裏面に取り付けられる金属製の裏蓋と、この裏蓋をケース本体に固定する固定ねじとを備えた腕時計ケースにおいて、ケース本体と裏蓋とが互いに接触し合う各接触面のうち、少なくとも一方の接触面に、絶縁性皮膜が形成され、固定ねじが金属材料からなり、その表面に絶縁性皮膜を形成したことにより、請求項２に記載の発明と同様、金属製のケース本体と金属製の裏蓋との絶縁を確実に図ることができ、これによりアンテナの受信感度を高めることができる。
【発明を実施するための最良の形態】
【００１９】
（実施形態１）
以下、図１および図２を参照して、この発明を電波腕時計に適用した実施形態１について説明する。
図１はこの発明の電波腕時計の要部を示した拡大断面図、図２はその固定ねじを示した拡大断面図である。
この電波腕時計は、図１に示すように、腕時計ケース１を備えている。
【００２０】
この腕時計ケース１は、図１に示すように、上下に開口されて内部に時計モジュール２を収容するケース本体３と、このケース本体３の上部中央にパッキン４ａを介して装着される時計ガラス４と、ケース本体３の下部に防水パッキン５を介して取り付けられる裏蓋６と、この裏蓋６をケース本体３に固定するための固定ねじ７と、ケース本体３と裏蓋６との間に介在されたスペーサ部材８とを備えている。
【００２１】
時計モジュール２は、時刻表示部やＬＳＩなどの時計機能に必要な各種の電子部品を備えているほか、標準時刻電波を受信するアンテナ９を備え、このアンテナ９で受信した標準時刻電波に基づいて時刻を修正するように構成されている。この場合、時刻表示部は、指針を運針させて時刻を指示するアナログムーブメント、または時刻などの情報を電気光学的に表示する平面型の表示素子、あるいはアナログムーブメントと表示素子の双方を備えたものである。
【００２２】
アンテナ９は、バーアンテナであり、アモルファスやフェライトなどの比透磁率が高く、導電率が小さい磁性部材で形成された棒状のコアと、このコアの周囲に銅などの導線を巻き付けたコイルとを備え、電波による磁界中に置かれると、その磁界による磁束が周囲空間よりも比透磁率が高いコアに集中してコイルに鎖交し、このコイルに磁束変化を妨げる向きに磁界を発生させるように誘導起電力が生じる構成になっている。
【００２３】
また、時計モジュール２の回路構成は、回路全般を制御する制御部と、アンテナ９のコイルに発生した誘導起電力を検出して標準時刻のデータを取り出す受信回路と、発信器に基づいて現在時刻を計時する計時回路とを有し、受信回路で取り出された標準時刻データに基づいて制御部が計時回路による計時時刻を修正すると共に、時刻表示部を制御して修正された現在時刻を指示表示するように構成されている。
【００２４】
ところで、ケース本体３は、ステンレスやチタンなどの強度の高い金属で形成されており、このケース本体３の上部外周面には、図１に示すように、装飾用のベゼル１０が取り付けられている。また、このケース本体３の内部における時計ガラス４の下側には、見切り部材１１がケース本体３の内周面に沿って配置されている。さらに、このケース本体３の外周側下面には、図１に示すように、固定ねじ７が螺入するねじ穴１２が設けられている。また、裏蓋６は、ケース本体３と同様、ステンレスやチタンなどの強度の高い金属でほぼ板状に形成されている。この裏蓋６の外周側には、固定ねじ７が挿入するねじ挿入孔１３がケース本体３のねじ穴１２に対応して設けられている。
【００２５】
一方、固定ねじ７は、図１および図２に示すように、頭部７ａとねじ部７ｂとを有し、ステンレスなどの強度の高い金属で形成されている。この固定ねじ７の全表面には、図２に示すように、絶縁性皮膜１４が形成されている。この絶縁性皮膜１４は、窒化珪素（Si3N4）、酸化アルミニウム（Al2O3）、ダイヤモンドライクカーボン（ＤＬＣ：イオンを利用した気相合成法により合成されたダイヤモンドに類似した高硬度・電気絶縁性・赤外線透過性などの性質をもつカーボン薄膜の総称である）などの非導電性のセラミックをイオンプレーティングによって固定ねじ７の表面に成膜した絶縁性の高い皮膜である。
【００２６】
また、スペーサ部材８は、図１に示すように、その中心に固定ねじ７が挿入する孔８ａを有する円板であり、合成樹脂やセラミックなどの絶縁性材料によって形成され、ケース本体３の下面と裏蓋６の上面との間に配置され、ケース本体３と裏蓋６との接触による導通を防ぐように構成されている。また、アンテナ９の近傍に位置する箇所のケース本体３と裏蓋６の各内面には、図１に示すように、磁性シート１５がそれぞれ設けられている。この磁性シート１５は、アンテナ９で発生した磁界によってケース本体３と裏蓋６とにそれぞれ渦電流が生じるのを抑制するためのものである。
【００２７】
このような腕時計ケース１によれば、アンテナ９を収容したケース本体３と裏蓋６との間に絶縁性材料からなるスペーサ部材８が介在されているので、ケース本体３および裏蓋６が金属で形成されていても、スペーサ部材８によってケース本体３と裏蓋６との接触による導通を防ぐことができる。また、固定ねじ７の表面には、絶縁性皮膜１４が形成されているので、固定ねじ７が金属材料で形成され、この固定ねじ７で裏蓋６をケース本体３に固定しても、固定ねじ７の表面に形成された絶縁性皮膜１４によって、固定ねじ７によるケース本体３と裏蓋６との電気的な導通を確実に防ぐことができる。
【００２８】
これにより、ケース本体３と裏蓋６とを金属材料で形成しても、ケース本体３と裏蓋６との絶縁を確実に図ることができる。このため、アンテナ９で発生した磁界によってケース本体３と裏蓋６とを還流する電流の流れを防ぐことができるので、アンテナ９の受信感度を高めることができる。この場合、固定ねじ７の絶縁性皮膜１４は、窒化珪素、酸化アルミニウム、ダイヤモンドライクカーボンなどのセラミックをイオンプレーティングによって金属製の固定ねじ７の全表面に成膜した皮膜であることにより、金属製の固定ねじ７の表面にセラミックからなる絶縁性高い皮膜を確実に形成することができ、これによりケース本体３と裏蓋６との電気的な導通を防ぐことができる。
【００２９】
また、この腕時計ケース１では、アンテナ９の近傍に位置する箇所のケース本体３と裏蓋６の各内面に、図１に示すように、磁性シート１５がそれぞれ設けられているので、この磁性シート１５によってアンテナ９で発生した磁界によりケース本体３と裏蓋６とにそれぞれ渦電流が発生するのを抑制することができ、これによってもアンテナ９の受信感度を高めることができる。
【００３０】
なお、上記実施形態１では、固定ねじ７の表面にイオンプレーティングによって、窒化珪素（Si3N4）、酸化アルミニウム（Al2O3）、ダイヤモンドライクカーボン（ＤＬＣ）などの非導電性のセラミックからなる絶縁性皮膜１４を形成した場合について述べたが、これに限らず、例えば図３に示す変形例のように、固定ねじ１７の全表面にアルマイト処理（陽極酸化処理）によって絶縁性皮膜１８を形成しても良い。
【００３１】
この場合、固定ねじ１７は、その材質がアルミニウムまたはアルミニウム合金であることが好ましいが、ステンレスなどの金属の表面にアルミニウムまたはアルミニウム合金をメッキしたものであっても良い。また、絶縁性皮膜１８は、固定ねじ１７の素地であるアルミニウムまたはアルミニウム合金の表面に酸化アルミニウム（Al2O3）のセラミックをアルマイト処理によって成膜した絶縁性の高い皮膜である。このような絶縁性皮膜１８が形成された固定ねじ１７を用いても、実施形態１と同様の作用効果がある。
【００３２】
（実施形態２）
次に、図４および図５を参照して、この発明を電波腕時計に適用した実施形態２について説明する。なお、図１および図２に示された実施形態１と同一部分には同一符号を付して説明する。
この電波腕時計の腕時計ケース２０は、ケース本体３と裏蓋６とが互いに接触し合う各接触面のうち、裏蓋６側の接触面に絶縁性皮膜２１を形成した構成であり、これ以外は実施形態１とほぼ同じ構成になっている。
【００３３】
すなわち、この絶縁性皮膜２１は、窒化珪素（Si3N4）、酸化アルミニウム（Al2O3）、ダイヤモンドライクカーボン（ＤＬＣ）などの非導電性のセラミックをイオンプレーティングによって、ケース本体３が接触する裏蓋６の接触面に成膜した絶縁性の高い皮膜である。なお、この場合にも、固定ねじ７の表面には、実施形態１と同様、絶縁性皮膜１４がイオンプレーティングによって形成されている。また、アンテナ９の近傍に位置する箇所のケース本体３と裏蓋６の各内面には、実施形態１と同様、磁性シート１５がそれぞれ設けられている。
【００３４】
このような腕時計ケース２０によれば、ケース本体３と裏蓋６とが互いに接触し合う各接触面のうち、裏蓋６の接触面に絶縁性皮膜２１が形成されているので、ケース本体３および裏蓋６が金属で形成されていても、裏蓋６の接触面に形成された絶縁性皮膜２１によってケース本体３と裏蓋６との接触による導通を防ぐことができる。また、固定ねじ７の表面には、絶縁性皮膜１４が形成されているので、固定ねじ７が金属材料で形成され、この固定ねじ７で裏蓋６をケース本体３に固定しても、実施形態１と同様、固定ねじ７の表面に形成された絶縁性皮膜１４によって、固定ねじ７によるケース本体３と裏蓋６との電気的な導通を確実に防ぐことができる。
【００３５】
これにより、ケース本体３と裏蓋６とを金属材料で形成しても、ケース本体３と裏蓋６との絶縁を確実に図ることができる。このため、アンテナ９で発生した磁界によってケース本体３と裏蓋６とを還流する電流の流れを防ぐことができるので、アンテナ９の受信感度を高めることができる。この場合、裏蓋６の絶縁性皮膜２１は、窒化珪素、酸化アルミニウム、ダイヤモンドライクカーボンなどのセラミックをイオンプレーティングによって、金属製の裏蓋６の接触面に成膜した皮膜であることにより、金属製の裏蓋６の接触面にセラミックからなる絶縁性の高い皮膜を確実に形成することができ、これによりケース本体３と裏蓋６との接触による電気的な導通を防ぐことができる。
【００３６】
また、この腕時計ケース２０においても、アンテナ９の近傍に位置する箇所のケース本体３と裏蓋６の各内面に磁性シート１５がそれぞれ設けられているので、実施形態１と同様、磁性シート１５によってアンテナ９で発生した磁界によりケース本体３と裏蓋６とにそれぞれ渦電流が発生するのを抑制することができ、これによってもアンテナ９の受信感度を高めることができる。
【００３７】
なお、上記実施形態２では、ケース本体３が接触する裏蓋６の接触面にイオンプレーティングによって、窒化珪素（Si3N4）、酸化アルミニウム（Al2O3）、ダイヤモンドライクカーボン（ＤＬＣ）などの非導電性のセラミックからなる絶縁性皮膜２１を形成した場合について述べたが、これに限らず、例えば図６に示す変形例のように、ケース本体３が接触する裏蓋２３の接触面に、アルマイト処理（陽極酸化処理）によって絶縁性皮膜２４を形成しても良い。
【００３８】
この場合、裏蓋２３は、その材質がアルミニウムまたはアルミニウム合金であることが好ましいが、ステンレスなどの金属の表面にアルミニウムまたはアルミニウム合金をメッキしたものであっても良い。また、絶縁性皮膜２４は、裏蓋２３の素地であるアルミニウムまたはアルミニウム合金の表面に酸化アルミニウム（Al2O3）のセラミックをアルマイト処理によって成膜した絶縁性の高い皮膜である。このような絶縁性皮膜２４が形成された裏蓋２３を用いても、実施形態２と同様の作用効果がある。
【００３９】
また、上記実施形態２およびその変形例では、ケース本体３と裏蓋６、２３とが接触する接触面のうち、裏蓋６、２３の接触面に絶縁性皮膜２１、２４を形成した場合について述べたが、これに限らず、裏蓋６、２３が接触するケース本体３の接触面に絶縁性皮膜２１、２４を形成しても良く、またケース本体３と裏蓋６、２３との両方の接触面にそれぞれ絶縁性皮膜２１、２４を形成して良い。このように構成しても、実施形態２と同様の作用効果がある。
【００４０】
なお、上記実施形態１、２およびその各変形例では、腕時計に適用した場合について述べたが、必ずしも腕時計である必要はなく、トラベルウオッチ、目覚まし時計、置き時計、掛け時計などの各種の時計に適用することができるほか、これに限らず、携帯電話機、携帯情報端末機などの電子機器にも広く適用することができる。
【図面の簡単な説明】
【００４１】
【図１】この発明を適用した電波腕時計の要部を示した拡大断面図である。（実施形態１）
【図２】図１の固定ねじを示した拡大断面図である。
【図３】実施形態１の固定ねじの変形例を示した拡大断面図である。
【図４】この発明を適用した電波腕時計の要部を示した拡大断面図である。（実施形態２）
【図５】図４においてケース本体が接触する裏蓋の接触部分を示した要部の拡大断面図である。
【図６】実施形態２における裏蓋の接触部分の変形例を示した要部の拡大断面図である。
【符号の説明】
【００４２】
１、２０  腕時計ケース
２  時計モジュール
３  ケース本体
６、２３  裏蓋
７、１７  固定ねじ
８  スペーサ部材
９  アンテナ
１４、１８  固定ねじの絶縁性皮膜
２１、２４  裏蓋の絶縁性皮膜
【図１】
2008082722.tif 000003
【図２】
2008082722.tif 000004
【図３】
2008082722.tif 000005
【図４】
2008082722.tif 000006
【図５】
2008082722.tif 000007
【図６】
2008082722.tif 000008